(57)【要約】【課題】  結婚式等のイベントについてのアルバムを作成するに際し、一度アルバム作成の注文を行ったユーザが同一のイベントについて異なるテンプレートを用いて別のアルバム作成の注文を行った場合に、効率よく画像の編集を行うことができるようにする。【解決手段】  アルバム作成の注文があると、使用したテンプレートのＩＤ、選択した画像を特定する画像特定情報を記録する。また、複数のテンプレートについて各テンプレートの画像挿入領域の対応関係を対応情報として記憶する。同一ユーザが同一イベントについて異なるテンプレートを用いてのアルバム作成の注文を行うと、画像特定情報および対応情報を参照して、先の注文時に選択した画像を後の注文に使用するテンプレートの画像挿入領域に挿入して編集画面を表示する。【選択図】          図７
2005182771.tif 000002
【特許請求の範囲】
【請求項１】
各種表示を行う表示手段と、
アルバム作成の注文を行ったユーザについての所定のイベントに関する複数の画像の一覧を前記表示手段に表示する画像表示制御手段と、
画像を挿入する少なくとも１つの画像挿入領域を含む、複数種類のテンプレートから前記ユーザが選択したテンプレートを前記複数の画像の一覧とともに前記表示手段に表示するテンプレート表示制御手段と、
前記複数の画像の一覧からの前記各画像挿入領域に挿入する画像の選択を受け付ける画像選択手段と、
アルバムの作成に使用したテンプレートの種類を表すテンプレートＩＤ、該アルバムの作成に使用したテンプレートの画像挿入領域に挿入すべく選択した画像を特定する情報、および該選択した画像に施した編集処理の内容を表す編集情報を含む画像特定情報を、該アルバムの作成の注文を行ったユーザ単位で記憶する画像特定情報記憶手段と、
前記アルバムの作成の注文を行ったユーザと同一のユーザから、同一イベントに関する画像について、前回の注文時とは異なる種類のテンプレートを用いてのアルバム作成の注文があった場合、該異なる種類のテンプレートのテンプレートＩＤ、前記画像特定情報および前記複数種類のテンプレートについての各テンプレートの画像挿入領域間の対応関係を表す対応情報を参照して、前回の注文時のテンプレートの画像挿入領域に挿入すべく選択された画像を、前記異なる種類のテンプレートの対応する画像挿入領域に挿入して画像挿入済みテンプレートを生成するテンプレート加工手段とを備え、
前記テンプレート表示制御手段は、前記画像挿入済みテンプレートを前記表示手段に表示する手段であることを特徴とする画像編集装置。
【請求項２】
前記前回の注文時のテンプレートの所定の画像挿入領域と、前記異なる種類のテンプレートの該所定の画像挿入領域に対応する画像挿入領域とでアスペクト比が異なる場合には、前記画像挿入済みテンプレートにおける該対応する画像挿入領域にアラーム表示を行うアラーム手段をさらに備えたことを特徴とする請求項１記載の画像編集装置。
【請求項３】
前記対応情報を記憶する対応情報記憶手段をさらに備えたことを特徴とする請求項１または２記載の画像編集装置。
【請求項４】
前記対応情報を生成する対応情報生成手段をさらに備えたことを特徴とする請求項１または２記載の画像編集装置。
【請求項５】
前記テンプレートを用いた過去の注文時に、前記画像挿入領域に挿入すべき画像の候補となったトライ画像を記録する手段をさらに備え、
前記テンプレート表示制御手段は、画像挿入済みテンプレートとともに前記トライ画像の一覧を表示する手段であることを特徴とする請求項１から４のいずれか１項記載の画像編集装置。
【請求項６】
アルバム作成の注文を行ったユーザについての所定のイベントに関する複数の画像の一覧を表示手段に表示し、
画像を挿入する少なくとも１つの画像挿入領域を含む、複数種類のテンプレートから前記ユーザが選択したテンプレートを前記複数の画像の一覧とともに前記表示手段に表示し、
前記複数の画像の一覧からの前記各画像挿入領域に挿入する画像の選択を受け付け、
前記アルバムの作成の注文を行ったユーザと同一のユーザから、同一イベントに関する画像について、前回の注文時とは異なる種類のテンプレートを用いてのアルバム作成の注文があった場合、該異なる種類のテンプレートのテンプレートＩＤと、アルバムの作成に使用したテンプレートの種類を表すテンプレートＩＤ、該アルバムの作成に使用したテンプレートの画像挿入領域に挿入すべく選択した画像を特定する情報、および該選択した画像に施した編集処理の内容を表す編集情報を含む画像特定情報と、前記複数種類のテンプレートについての各テンプレートの画像挿入領域間の対応関係を表す対応情報とを参照して、前回の注文時のテンプレートの画像挿入領域に挿入すべく選択された画像を、前記異なる種類のテンプレートの対応する画像挿入領域に挿入して画像挿入済みテンプレートを生成し、
前記画像挿入済みテンプレートを前記表示手段に表示することを特徴とする画像編集方法。
【請求項７】
アルバム作成の注文を行ったユーザについての所定のイベントに関する複数の画像の一覧を表示手段に表示する手順と、
画像を挿入する少なくとも１つの画像挿入領域を含む、複数種類のテンプレートから前記ユーザが選択したテンプレートを前記複数の画像の一覧とともに前記表示手段に表示する手順と、
前記複数の画像の一覧からの前記各画像挿入領域に挿入する画像の選択を受け付ける手順と、
前記アルバムの作成の注文を行ったユーザと同一のユーザから、同一イベントに関する画像について、前回の注文時とは異なる種類のテンプレートを用いてのアルバム作成の注文があった場合、該異なる種類のテンプレートのテンプレートＩＤと、アルバムの作成に使用したテンプレートの種類を表すテンプレートＩＤ、該アルバムの作成に使用したテンプレートの画像挿入領域に挿入すべく選択した画像を特定する情報、および該選択した画像に施した編集処理の内容を表す編集情報を含む画像特定情報と、前記複数種類のテンプレートについての各テンプレートの画像挿入領域間の対応関係を表す対応情報とを参照して、前回の注文時のテンプレートの画像挿入領域に挿入すべく選択された画像を、前記異なる種類のテンプレートの対応する画像挿入領域に挿入して画像挿入済みテンプレートを生成する手順と、
前記画像挿入済みテンプレートを前記表示手段に表示する手順とを有することを特徴とする画像編集方法をコンピュータに実行させるためのプログラム。
【発明の詳細な説明】
【技術分野】
【０００１】
本発明は、テンプレートの画像挿入領域に挿入する画像を選択するための画像編集装置および方法並びに画像編集方法をコンピュータに実行させるためのプログラムに関するものである。
【背景技術】
【０００２】
例えば、特許文献１に記載されているように、撮影済み写真フイルムからフイルムスキャナを用いて画像を読み取り、選択された画像を任意にレイアウトして、１枚の写真プリントとしてプリント出力することにより写真アルバムを作成する方法が提案されている。
【０００３】
また、所望の画像のみを写真プリントとしてプリント出力し、アルバムを構成するための台紙に、写真プリントのプリントサイズとアルバムのレイアウトにあわせて切り欠き凹部を形成し、形成された切り欠き凹部に写真プリントを挿入することにより、アルバムを作成する方法も提案されている（特許文献２参照）。
【０００４】
一方、結婚式のアルバムを作成するために、結婚式当日の新郎新婦にプロカメラマンを同行させ、結婚式を行う教会の前や、記念となるようなモニュメントの前で撮影を行ったり、結婚式や披露宴の最中の撮影を行うことにより、多数の画像の撮影を行って結婚式当日のアルバムを作成することが行われている。このようなアルバムは結婚式当日の新郎新婦の行動を追跡したものとなるため、ストーリー性のあるアルバムとなり、後でアルバムを見て楽しむことができる。
【０００５】
ところで、上述したようにアルバムを作成する作業は、プロカメラマンやアルバム作成サービスを提供する写真店のオペレータ（以下オペレータで代表させる）が、撮影により取得した複数の画像を画像サーバに保管し、アルバム作成のためのワークステーションにおいて、画像サーバに保管された複数の画像の一覧と、アルバムを作成するための画像挿入領域を有するテンプレートとをモニタ等の表示手段に同時に表示し、画像挿入領域に挿入する画像を画像の一覧から選択することにより行っている。この際、オペレータは、選択した画像を画像挿入領域に見栄えよく挿入できるように、画像をぼかしたりシャープネスを強調したりする画質を変更する処理、画像の回転、サイズ変更およびトリミング等の画像を加工する処理、並びに赤目補正や傷消し等の画像を修復する処理等の画像の編集処理を行う。
【０００６】
そして、編集された画像をプリント出力して台紙に貼り付けることによりアルバムが作成される。また、特許文献１に記載されているように、編集された画像がテンプレートの画像挿入領域に挿入されるように、編集された画像とテンプレートとを合成して、すでに台紙に貼り付けられた状態のアルバムをプリント出力することにより、アルバムを作成することもできる。
【特許文献１】特開平９−２１４８６８号公報
【特許文献２】特開２００３−１８２２６０号公報
【発明の開示】
【発明が解決しようとする課題】
【０００７】
ところで、一度アルバム作成の注文を行ったユーザが、同一のイベントについて異なる種類のテンプレートを用いて別のアルバム作成の注文を行う場合がある。ここで、同一のイベントについてアルバムを作成する場合、テンプレートの種類が異なっていても使用される画像の構図は同じものが多い。しかしながら、このような場合であっても、オペレータは前回の注文時と同様に複数の画像の一覧とテンプレートとをモニタ等の表示手段に同時に表示し、画像挿入領域に挿入する画像を画像の一覧から選択するという編集作業を再度行う必要があるため、再度のアルバム作成時のオペレータの負担が大きい。
【０００８】
本発明は上記事情に鑑みなされたものであり、一度アルバム作成の注文を行ったユーザが、同一のイベントについて異なるテンプレートを用いて別のアルバム作成の注文を行った場合に、効率よく画像の編集を行うことができるようにすることを目的とする。
【課題を解決するための手段】
【０００９】
本発明による画像編集装置は、各種表示を行う表示手段と、
アルバム作成の注文を行ったユーザについての所定のイベントに関する複数の画像の一覧を前記表示手段に表示する画像表示制御手段と、
画像を挿入する少なくとも１つの画像挿入領域を含む、複数種類のテンプレートから前記ユーザが選択したテンプレートを前記複数の画像の一覧とともに前記表示手段に表示するテンプレート表示制御手段と、
前記複数の画像の一覧からの前記各画像挿入領域に挿入する画像の選択を受け付ける画像選択手段と、
アルバムの作成に使用したテンプレートの種類を表すテンプレートＩＤ、該アルバムの作成に使用したテンプレートの画像挿入領域に挿入すべく選択した画像を特定する情報、および該選択した画像に施した編集処理の内容を表す編集情報を含む画像特定情報を、該アルバムの作成の注文を行ったユーザ単位で記憶する画像特定情報記憶手段と、
前記アルバムの作成の注文を行ったユーザと同一のユーザから、同一イベントに関する画像について、前回の注文時とは異なる種類のテンプレートを用いてのアルバム作成の注文があった場合、該異なる種類のテンプレートのテンプレートＩＤ、前記画像特定情報および前記複数種類のテンプレートについての各テンプレートの画像挿入領域間の対応関係を表す対応情報を参照して、前回の注文時のテンプレートの画像挿入領域に挿入すべく選択された画像を、前記異なる種類のテンプレートの対応する画像挿入領域に挿入して画像挿入済みテンプレートを生成するテンプレート加工手段とを備え、
前記テンプレート表示制御手段は、前記画像挿入済みテンプレートを前記表示手段に表示する手段であることを特徴とするものである。
【００１０】
「前回の注文時のテンプレートの画像挿入領域に挿入すべく選択された画像を、前記異なる種類のテンプレートの対応する画像挿入領域に挿入して画像挿入済みテンプレートを生成する」に際しては、画像特定情報に含まれる編集情報を参照して、前回の注文時のテンプレートの画像挿入領域に挿入すべく選択された画像に対して、この画像に施した編集処理と同一の編集処理を施して異なる種類のテンプレートの対応する画像挿入領域に挿入することを意味する。なお、対応する画像挿入領域間のサイズが異なる場合には、選択された画像のサイズを異なる種類のテンプレートの画像挿入領域のサイズに合わせて挿入すればよい。
【００１１】
なお、本発明による画像編集装置においては、前記前回の注文時のテンプレートの所定の画像挿入領域と、前記異なる種類のテンプレートの該所定の画像挿入領域に対応する画像挿入領域とでアスペクト比が異なる場合には、前記画像挿入済みテンプレートにおける該対応する画像挿入領域にアラーム表示を行うアラーム手段をさらに備えるようにしてもよい。
【００１２】
また、本発明による画像編集装置においては、前記対応情報を記憶する対応情報記憶手段をさらに備えるようにしてもよい。
【００１３】
また、本発明による画像編集装置においては、前記対応情報を生成する対応情報生成手段をさらに備えるようにしてもよい。
【００１４】
また、本発明による画像編集装置においては、前記テンプレートを用いた過去の注文時に、前記画像挿入領域に挿入すべき画像の候補となったトライ画像を記録する手段をさらに備えるものとし、
前記テンプレート表示制御手段を、画像挿入済みテンプレートとともに前記トライ画像の一覧を表示する手段としてもよい。
【００１５】
本発明による画像編集方法は、アルバム作成の注文を行ったユーザについての所定のイベントに関する複数の画像の一覧を表示手段に表示し、
画像を挿入する少なくとも１つの画像挿入領域を含む、複数種類のテンプレートから前記ユーザが選択したテンプレートを前記複数の画像の一覧とともに前記表示手段に表示し、
前記複数の画像の一覧からの前記各画像挿入領域に挿入する画像の選択を受け付け、
前記アルバムの作成の注文を行ったユーザと同一のユーザから、同一イベントに関する画像について、前回の注文時とは異なる種類のテンプレートを用いてのアルバム作成の注文があった場合、該異なる種類のテンプレートのテンプレートＩＤと、アルバムの作成に使用したテンプレートの種類を表すテンプレートＩＤ、該アルバムの作成に使用したテンプレートの画像挿入領域に挿入すべく選択した画像を特定する情報、および該選択した画像に施した編集処理の内容を表す編集情報を含む画像特定情報と、前記複数種類のテンプレートについての各テンプレートの画像挿入領域間の対応関係を表す対応情報とを参照して、前回の注文時のテンプレートの画像挿入領域に挿入すべく選択された画像を、前記異なる種類のテンプレートの対応する画像挿入領域に挿入して画像挿入済みテンプレートを生成し、
前記画像挿入済みテンプレートを前記表示手段に表示することを特徴とするものである。
【００１６】
なお、本発明による画像編集方法をコンピュータに実行させるためのプログラムとして提供してもよい。
【発明の効果】
【００１７】
本発明によれば、表示手段に複数の画像の一覧およびテンプレートが表示され、オペレータがテンプレートの各画像挿入領域に挿入する画像の選択を行う。また、アルバムの作成に使用したテンプレートの種類を表すテンプレートＩＤ、テンプレートの画像挿入領域に挿入すべく選択した画像を特定する情報および選択した画像に施した編集処理の内容を表す編集情報を含む画像特定情報が、アルバム作成の注文を行ったユーザ単位で記憶される。そして、アルバム作成の注文を行ったユーザから、同一イベントに関する画像について、前回の注文時とは異なる種類のテンプレートを用いてのアルバム作成の注文があった場合には、異なる種類のテンプレートのテンプレートＩＤ、画像特定情報および各テンプレートの画像挿入領域間の対応関係を表す対応情報が参照されて、前回の注文時のテンプレートの画像挿入領域に挿入すべく選択された画像が、異なるテンプレートの対応する画像挿入領域に挿入されて画像挿入済みテンプレートが生成され、画像挿入済みテンプレートが表示手段に表示される。
【００１８】
このため、オペレータは、再度同一のユーザからアルバム作成の注文があった場合には、アルバム作成のための編集作業を最初からやり直す必要がなくなるため、オペレータの負担を軽減して、効率よく再度のアルバム作成を行うことができる。
【００１９】
また、対応する画像挿入領域同士であっても、アスペクト比が異なる場合がある。例えば、あるテンプレートにおいてはある画像挿入領域が縦長の画像を挿入するものであるのに対し、別のテンプレートにおける対応する画像挿入領域は構図は同じであるものの横長の画像を挿入するものである場合がある。このような場合、前回の注文時のテンプレートの画像挿入領域に挿入された画像をそのまま異なる種類のテンプレートにおける対応する画像挿入領域に挿入したのでは、アルバムの見栄えが悪くなってしまう。
【００２０】
このため、前回の注文時のテンプレートの所定の画像挿入領域と、異なる種類のテンプレートの所定の画像挿入領域に対応する画像挿入領域とでアスペクト比が異なる場合には、画像挿入済みテンプレートにおける対応する画像挿入領域にアラーム表示を行うことにより、オペレータに対してアスペクト比が異なる旨を通知することができる。したがって、オペレータは、挿入される画像のトリミングのやり直し等を容易に行うことができる。
【発明を実施するための最良の形態】
【００２１】
以下、図面を参照して本発明の実施形態について説明する。図１は、本発明の第１の実施形態による画像編集装置を備えた画像編集システムの構成を示す概略ブロック図である。図１に示すように、本実施形態による画像編集システムは、第１の実施形態による画像編集装置の機能を有するアルバム編集ＰＣ（パソコン）１、現像済みのフイルムから画像を読み取ってフイルムに記録された画像を表す画像データを取得するスキャナと、画像データをプリント出力するプリンタとを備えた複数（ここでは２つ）のミニラボ機３Ａ，３Ｂ、スキャナ３Ｃ、画像データを蓄積する大容量のハードディスクを備えたファイルサーバ５、およびアルバム作成作業の工程管理を行う工程管理ＰＣ７を備え、これらがネットワークにより接続されてなるものである。
【００２２】
なお、本実施形態においては、結婚式をイベントとして、結婚式についてのストーリー性のあるアルバムの作成を依頼したユーザである新郎新婦にプロカメラマンが同行して、結婚式当日のユーザの撮影を行い、これにより得られた画像を用いてアルバムを作成する場合について説明するが、イベントは結婚式に限定されるものではない。
【００２３】
図２はアルバム編集ＰＣ１の構成を示す概略ブロック図である。図２に示すように、アルバム編集ＰＣは、アルバム編集ＰＣ１の全体の制御を行うＣＰＵ１１（画像表示制御手段、テンプレート表示制御手段、テンプレート加工手段、アラーム手段）、ファイルサーバ５と画像データを含む各種情報の送受信を行うためのネットワーク用の送受信手段１３、画像やテンプレート等の各種情報を表示するための表示手段１５、アルバム編集ＰＣ１を操作するオペレータが入力手段１７（画像選択手段）を介して入力した各種情報を読み取ってＣＰＵ１１に伝達したり、ＣＰＵ１１からの指示に基づいて表示手段１５に表示指令を出力するＩ／Ｏ１９、ＣＰＵ１１を動作させるプログラムや各種定数が記録されているＲＯＭやＣＰＵ１１が処理を実行する際の作業領域となる記録手段であるＲＡＭとから構成されるメモリ２１、画像データ等各種情報を記録するハードディスク等の記録手段２３（画像特定情報記憶手段、対応情報記憶手段）が設けられている。
【００２４】
アルバム編集ＰＣ１内のＣＰＵ１１と、送受信手段１３、Ｉ／Ｏ１９、メモリ２１、および記録手段２３等を含む各周辺回路とはバス２５により接続されており、ＣＰＵ１１は各々の周辺回路を制御することが可能となっている。すなわち、ＣＰＵ１１が、送受信手段１３、表示手段１５、メモリ２１および記録手段２３を制御することにより、ファイルサーバ５から画像データや後述するテンプレートデータ等の情報を受信して、受信した画像データを記録手段２３に記録するとともに、画像データの一覧およびテンプレートを表示手段１５に表示して、オペレータによる入力手段１７からの指示により、テンプレートの画像挿入領域に挿入する画像の選択、画像の編集情報の生成、画像編集情報のファイルサーバ５への送信を行うことが可能となっている。
【００２５】
ここで、アルバム編集ＰＣ１は、オペレータがアルバムの編集作業を行う際に、アルバムの作成を依頼したユーザが指定したテンプレートの種類およびユーザＩＤからなるアルバム編集情報の入力を受け付け、アルバム編集情報をファイルサーバ５に送信する。そして、ファイルサーバ５が送信したテンプレートデータ、画像データおよびテンプレートの画像挿入領域に挿入する案内画像データを受信する。そして画像データを縮小して、画像データにより表される画像の一覧を生成するとともに、テンプレートデータにより表されるテンプレートの画像挿入領域のそれぞれに、対応する案内画像データにより表される案内画像を挿入し、案内画像が挿入されたテンプレートおよび画像の一覧を含む編集画面を表示手段１５に表示する。
【００２６】
図３は編集画面の例を示す図である。図３に示すように、編集画面３０には、画像の一覧を表示する一覧表示フィールド３１、案内画像が挿入されたテンプレートを表示するテンプレート表示フィールド３３、およびツールボックス３５が含まれる。
【００２７】
一覧表示フィールド３１にはスクロールバー３１Ａが表示されており、これを左右に移動させることにより、１画面に表示しきれない画像を表示することができる。
【００２８】
ここで、図３に示す例においては、テンプレート表示フィールド３３に表示されるテンプレートには４つの画像挿入領域１−ａ，１−ｂ，１−ｃ，２−ａが含まれており、そのそれぞれに案内画像が表示される。
【００２９】
案内画像は、各画像挿入領域１−ａ，１−ｂ，１−ｃ，２−ａにどのような構図の画像を挿入すればよいかを、アルバム編集作業を行うオペレータに通知することが可能な画像である。ここで、イベントについてのアルバムを作成するための撮影は、アルバムの作成を依頼したユーザに拘わらず、同じ場所、同じ状況で行われるものである。例えば、上述したように結婚式当日の新郎新婦の撮影は、ホテル内の決まった場所で行われ、さらに結婚式中の指輪の交換のシーンや、披露宴でのケーキカットのシーン等、決まった状況で行われる。
【００３０】
このため、テンプレートの画像挿入領域１−ａ，１−ｂ，１−ｃ，２−ａに挿入される画像を、同じテンプレートを選択したすべてのユーザにおいて同一の構図を有するものとすることにより、できあがったアルバムの品質を一定にすることができる。したがって、案内画像としては、画像挿入領域に挿入されるべき構図を表すイラスト、線画あるいはモデルを用いて実際の場所または状況において撮影を行うことにより得られたサンプル画像等を用いることができる。なお、本実施形態においては、モデルを用いたサンプル画像が挿入されているものとする。
【００３１】
なお、テンプレートデータにはそのヘッダに、図４に示すように、そのテンプレートデータにより表されるテンプレートＴ１の画像挿入領域１−ａ，１−ｂ，１−ｃ，２−ａと、画像挿入領域１−ａ，１−ｂ，１−ｃ，２−ａに挿入される案内画像データのファイル名（sample001.jpg、sample002.jpg、sample00.jpg、sample004.jpg）とを対応づけた案内画像情報が記録されている。アルバム編集ＰＣ１はテンプレートデータのヘッダに記録された案内画像情報を参照して、案内画像データをテンプレートの画像挿入領域に挿入する。
【００３２】
また、テンプレート表示フィールド３３には、テンプレートが複数のページを有する場合に、テンプレート表示フィールド３３に表示されるテンプレートのページを切り換えるための矢印ボタン３３Ａ，３３Ｂが表示されている。オペレータは矢印ボタン３３Ａ，３３Ｂをクリックすることにより、編集画面３０に表示するテンプレートのページを切り換えることができる。
【００３３】
ツールボックス３５には、ぼかし、シャープ、およびブラシのように画質を変更する処理を画像データに施すためのボタン、赤目消しおよび傷消しのように画像を修復する処理を画像データに施すためのボタン、回転およびサイズ変更のように画像を加工する処理を画像データに施すためのボタン、並びに処理を終了するための決定ボタンが表示されている。
【００３４】
オペレータは、編集画面３０を見ながらアルバムの編集指示を行うことにより編集作業を行う。具体的には、画像挿入領域に挿入された案内画像と構図が一致する画像を画像の一覧から選択し、選択した画像を入力手段１７を用いてドラッグアンドドロップすることにより、選択した画像を画像挿入領域に挿入する。挿入後はその画像挿入領域を選択し、ツールボックス３５のボタンをクリックすることにより、選択した画像挿入領域に挿入された画像を編集することができる。例えば、回転ボタンをクリックすることにより画像を右回りに９０度回転することができる。また、サイズ変更ボタンをクリックすることにより、画像のサイズを変更することができる。また、ぼかし、シャープおよびブラシボタンをクリックすることにより、画像の画質を変更することができる。また、赤目消しおよび傷消しボタンをクリックすることにより画像を修復することができる。
【００３５】
そして、テンプレートのすべての画像挿入領域に挿入する画像を選択し、選択した画像への編集が終了すると、オペレータは決定ボタンをクリックすることによりそのテンプレートにより構成されるアルバムの編集作業を終了する。なお、オペレータが決定ボタンをクリックすることにより、アルバム編集ＰＣ１は選択された画像データのファイル名、テンプレートの各画像挿入領域と各画像挿入領域に挿入される画像データのファイル名とを対応づけた情報、ぼかし、拡大縮小および赤目消し等の各画像データに施すべき処理の種類を表す情報、トリミングを行う場合のトリミング領域の範囲を表す情報、拡大縮小する場合の拡大率の情報等を含む画像編集情報を生成してファイルサーバ５に送信する。
【００３６】
一方、記録手段２３には、アルバムの作成に使用したテンプレートの種類を表すテンプレートＩＤ、アルバムの作成に使用したテンプレートの画像挿入領域に挿入すべく選択した画像のファイル名、および選択した画像に施した編集処理の内容を表す編集情報を含む画像特定情報Ｋ０がユーザ単位で記録される。図５は画像特定情報Ｋ０の例を示す図である。図５に示すように画像特定情報Ｋ０には、ユーザＩＤ（００１２３４）、アルバムに作成した画像についてのイベントを表すイベントＩＤ（００１２３４−３）、アルバムの作成に使用したテンプレートの種類を表すテンプレートＩＤ（００１）およびテンプレートの各画像挿入領域（１−ａ，１−ｂ，１−ｃ…）に挿入すべく選択した画像のファイル名（DSCF001.jpg,DSCF0023.jpg…）、および各画像に施した編集処理の内容を表す編集情報（元の画像に対する拡大率×０．５，中心位置のずれ量ｘ：０，ｙ：０、赤目等）が含まれる。なお、中心位置のずれ量は、画像挿入領域の中心位置に対する画像の中心位置のずれ量であり、ｘ方向およびｙ方向の画素数にて表される。
【００３７】
ここで、画像挿入領域の符号１−ａは、テンプレートに含まれる複数あるページの番号およびそのページにおける画像挿入領域の記号を表している。例えば図５に示す画像特定情報Ｋ０に含まれるテンプレートＩＤ００１のテンプレートには複数のページがあり、１ページ目には、１−ａ，１−ｂ，１−ｃの３つの画像挿入領域が含まれている。
【００３８】
また、記録手段２３には、アルバムの作成に使用される複数種類のテンプレートについて、各テンプレートの画像挿入領域間の対応関係、すなわちテンプレート同士でどの画像挿入領域の構図が同一であるかを表す対応情報Ｃ０が記録されている。図６は対応情報Ｃ０の例を示す図である。図６に示すように、対応情報Ｃ０には、テンプレートＩＤ（００１，００２，００３…）および各テンプレートＩＤを有するテンプレートの画像挿入領域が、他のテンプレートのどの画像挿入領域と対応するかを表す対応関係が含まれている。
【００３９】
例えば、ＩＤ００１のテンプレート（Ｔ１とする）の画像挿入領域１−ａは、ＩＤ００２のテンプレート（Ｔ２とする）の画像挿入領域２−ａおよびＩＤ００３のテンプレート（Ｔ３とする）の画像挿入領域１−ｃと対応し、テンプレートＴ１の画像挿入領域１−ｂは、テンプレートＴ２の画像挿入領域１−ｂおよびテンプレートＴ３の画像挿入領域１−ｂと対応している。また、テンプレートＴ１の画像挿入領域２−ａは、テンプレートＴ２には対応するものがないが、テンプレートＴ３の画像挿入領域３−ａに対応している。なお、図６に示すＩＤ００２の欄における×２等の数値は、テンプレートＴ１の対応する画像挿入領域に対する倍率を示す。例えば、テンプレートＴ２の画像挿入領域２−ａはテンプレートＴ１の対応する画像挿入領域１−ａの２倍のサイズを有する。
【００４０】
ここで、過去にアルバム作成の注文を行ったユーザが同一のイベントについて異なる種類のテンプレートを用いてアルバム作成の注文を行う場合がある。以下、最初の注文を先の注文、２度目の注文を後の注文と称する。後の注文においても先の注文と同様に、アルバム編集ＰＣ１は、オペレータがアルバムの編集作業を行う際に、アルバムの作成を依頼したユーザが指定したテンプレートの種類およびユーザＩＤからなるアルバム編集情報の入力を受け付け、アルバム編集情報をファイルサーバ５に送信する。そして、ファイルサーバ５が送信したテンプレートデータ、画像データおよびテンプレートの画像挿入領域に挿入する案内画像データを受信する。そして画像データを縮小して、画像データにより表される画像の一覧を生成する。
【００４１】
さらに、アルバム編集ＰＣ１は、オペレータにより入力された、アルバムの作成を依頼したユーザが指定したテンプレートの種類の情報および記録手段２３に記録されているすべての画像特定情報Ｋ０を参照して、その注文が同一ユーザによる同一のイベントの画像についての異なるテンプレートを用いてのアルバムの作成を依頼するものであるか否かを判定する。そしてこの判定が肯定されると、アルバム編集ＰＣ１は、記録手段２３に記録されている対応情報Ｃ０を参照して、先の注文に使用したテンプレートの画像挿入領域と後の注文に使用するテンプレートの画像挿入領域との対応関係の情報を取得し、さらにそのユーザについての画像特定情報Ｋ０を参照して、先の注文に使用したテンプレートの画像挿入領域に挿入すべく選択した画像を、案内画像に代えて後の注文に使用するテンプレートの画像挿入領域に挿入して画像挿入済みテンプレートを生成し、これを編集画面３０のテンプレート一覧表示フィールド３３に表示する。なお、挿入される画像は画像特定情報Ｋ０の編集情報に基づいて編集処理が施されたものとなる。
【００４２】
ここで、ユーザが先の注文にテンプレートＩＤ００１のテンプレートＴ１を使用し、後の注文にテンプレートＩＤ００２のテンプレートＴ２を使用する場合、テンプレートＴ１の画像挿入領域とテンプレートＴ２との画像挿入領域とは、図６に示す対応情報Ｃ０を参照することにより、図７に示すように対応づけられていることが分かる。したがって、アルバム編集ＰＣ１は、具体的には画像特定情報Ｋ０を参照して、テンプレートＴ１の画像挿入領域１−ａに挿入されたファイル名がDSCF0012.jpgの画像に編集処理を施してテンプレートＴ２の画像挿入領域２−ａに挿入し、テンプレートＴ１の画像挿入領域１−ｂに挿入されたファイル名がDSCF0020.jpgの画像に編集処理を施してテンプレートＴ２の画像挿入領域１−ｂに挿入し、テンプレートＴ１の画像挿入領域１−ｃに挿入されたファイル名がDSCF0023.jpgの画像に編集処理を施してテンプレートＴ２の画像挿入領域１−ａに挿入して画像挿入済みテンプレートを生成する。
【００４３】
この際、対応情報Ｃ０に含まれるテンプレートＴ１の画像挿入領域に対する倍率も参照して、各画像に対して編集処理を施す。例えば、テンプレートＴ１の画像挿入領域１−ａに挿入される画像は、元の画像を０．５倍したものとなる。一方、テンプレートＴ１の画像挿入領域１−ａに対応するテンプレートＴ２の画像挿入領域２−ａは、テンプレートＴ１の画像挿入領域１−ａの２倍のサイズを有するものとなっている。したがって、アルバム編集ＰＣ１は、テンプレートＴ２の画像挿入領域２−ａに対応する画像を挿入する際には、元の画像を０．５×２倍（すなわち１倍、何ら拡大縮小しない）し、さらに赤目処理を施してから画像挿入領域２−ａに挿入する。
【００４４】
なお、対応する画像挿入領域がない場合にはその画像挿入領域には案内画像が挿入される。
【００４５】
オペレータは編集画面３０を見ながら、先の注文と同様にアルバムの編集作業を行うことができる。
【００４６】
一方、図７に示すようにテンプレートＴ１の画像挿入領域１−ｂとテンプレートＴ２の画像挿入領域１−ｂとは対応しているが、前者が横長形状であるのに対し、後者は縦長形状となっており、両者のアスペクト比が異なっている。このように、互いに対応するすなわち構図が同じであるのにアスペクト比が異なるとは、図８に示すように同一の構図の画像であるが、アルバムの見栄をよくするために、あるテンプレートにおいては、領域Ａ１に示すように横長となるようにオペレータにトリミングを行わせ、他のテンプレートにおいては領域Ａ２に示すように縦長となるようにオペレータにトリミングを行わせることを想定している。
【００４７】
このように構図が同一であってもアスペクト比が異なると、画像挿入領域は対応しているものの、先の注文において選択した画像を先の注文時と同様に編集して後の注文におけるテンプレートの画像挿入領域に挿入したのでは、アルバムの見栄えが悪くなってしまう。
【００４８】
このため、アルバム編集ＰＣ１は、先の注文と後の注文とで対応する画像挿入領域があるが、そのアスペクト比が異なる場合には、後の注文における編集画面３０のテンプレート表示フィールド３３の対応する画像挿入領域にアラーム表示を行う。具体的には、アスペクト比が異なる画像挿入領域に追加の枠を付与する、その画像挿入領域の枠の色を他の画像挿入領域の枠の色と異なるものとする、その画像挿入領域内の画像を反転表示する、その画像挿入領域にマークを付与する、その画像挿入領域を点滅させる等によりアラーム表示を行う。なお、図７においては、テンプレートＴ２の画像挿入領域２−ｂに追加の枠を表示することによりアラーム表示を行っている状態を示している。
【００４９】
ファイルサーバ５には、ミニラボ機３Ａ，３Ｂおよびスキャナ３Ｃにおいて、現像済みのフイルムに記録された画像を読み取ることにより得られた画像データが保管される。画像データはアルバム作成を依頼したユーザ単位で作成されたフォルダに保管される。また、ファイルサーバ５には、アルバム作成用のテンプレートを表すテンプレートデータが複数保管されている。また、テンプレートの画像挿入領域に挿入する案内画像を表す案内データも保管されている。
【００５０】
そして、ファイルサーバ５はアルバム編集ＰＣ１から送信されたアルバム編集情報を参照して、ユーザが選択した種類のテンプレートを表すテンプレートデータ、ユーザＩＤに対応するフォルダに保管された画像データ、およびテンプレートの画像挿入領域に挿入される案内画像を表す案内画像データをアルバム編集ＰＣ１に送信する。
【００５１】
一方、アルバム編集ＰＣ１から画像編集情報が送信されると、ファイルサーバ５は画像編集情報に含まれる選択された画像を表す画像データのファイル名を参照して、選択された画像データに対してセットアップ処理および編集処理を行い、処理済み画像データを生成する。なお、セットアップ処理には、選択された画像データに対する明るさ補正処理、色補正処理および階調補正処理の少なくとも１つの処理が含まれる。また、編集処理には、画像編集情報により指定された、ぼかし、シャープおよびブラシ等が指定されている画像データに対する画質を変更する処理、トリミングや拡大縮小の処理が指定されている画像データに対するトリミングおよび拡大縮小等の画像を加工する処理、およびぼかしや赤目消し等の画像処理が指定されている画像データに対する画像を修復する処理が含まれる。
【００５２】
また、ファイルサーバ５は、画像編集情報に含まれるテンプレートの各画像挿入領域と各画像挿入領域に挿入される画像データのファイル名とを対応づけた情報から、アルバムのレイアウト情報を生成する。図９はレイアウト情報の例を示す図である。図９に示すように、レイアウト情報は、使用するテンプレートＴ１の画像挿入領域１−ａ，１−ｂ，１−ｃ，２−ａと、各画像挿入領域に挿入する画像データのファイル名（DSCF0012.jpg、DSCF0020.jpg、DSCF0023.jpg、DSCF0030.jpg）とを対応づけたものとなっている。そして、処理済み画像データとともにレイアウト情報をミニラボ機３Ａ，３Ｂのいずれかに送信する。
【００５３】
工程管理ＰＣ７は、オペレータによる１つのアルバムの注文についての作成工程を管理するために、オペレータにより、アルバム編集終了、プリント完了およびアルバム検品終了等、各工程の処理が終了した旨の入力を受け付ける。最終的には、完成したアルバムの品質をオペレータが検査し、検査結果が合格であった場合に、その旨の入力を受け付け、１つのアルバムについての工程管理を終了する。なお、検査結果が不合格であった場合には、そのアルバム作成の注文に対して、再度のアルバム作成の指示の入力を受け付ける。
【００５４】
次いで、第１の実施形態において行われる処理について説明する。図１０は本実施形態において行われる処理を示すフローチャートである。なお、ファイルサーバ５には、結婚式当日のユーザの撮影を行うことにより画像が記録された現像済みのフイルムから、画像を読み取ることにより得られた画像データが保管されているものとする。
【００５５】
オペレータがアルバム編集ＰＣ１からアルバム編集の指示を行うことにより処理が開始され、まず、アルバム編集ＰＣ１は、ユーザＩＤおよびユーザが指定したテンプレートの種類の情報からなるアルバム編集情報をファイルサーバ５に送信する（ステップＳ１）。
【００５６】
ファイルサーバ５はアルバム編集情報を受信し、ユーザＩＤに対応するフォルダに保管された画像データ、ユーザが指定した種類のテンプレートを表すテンプレートデータおよびテンプレートの画像挿入領域に挿入される案内画像を表す案内画像データをアルバム編集ＰＣ１に送信する（ステップＳ２）。
【００５７】
アルバム編集ＰＣ１は、画像データ、テンプレートデータおよび案内画像データを受信し、アルバム編集情報を送信したアルバム作成の注文が同一ユーザによる同一のイベントの画像を用いての注文であるか否か、すなわち過去に同一ユーザにより同一イベントについての注文があったか否かを判定する（ステップＳ３）。ステップ３が肯定されると、上述したように対応情報Ｃ０および画像特定情報Ｋ０を参照して、画像挿入済みテンプレートを生成し（ステップＳ４）、編集画面３０を表示手段１５に表示する（ステップＳ５）。一方、ステップＳ３が否定されるとステップＳ５に進み、最初の注文であることから、テンプレートのすべての画像挿入領域に案内画像が挿入された編集画面３０を表示する。
【００５８】
そして、アルバム編集ＰＣ１は、オペレータによる編集画面３０を参照してのアルバムの編集指示を受け付ける（ステップＳ６）。次いで、決定ボタンがクリックされたか否かを判定し（ステップＳ７）、ステップＳ７が肯定されると、アルバム編集ＰＣ１は画像編集情報を生成し、これをファイルサーバ５に送信する（ステップＳ８）。なお、ステップＳ７が否定されるとステップＳ６に戻り、引き続きオペレータの編集指示を受け付ける。
【００５９】
ファイルサーバ５は、画像編集情報を受信して、画像編集情報に含まれる選択された画像データのファイル名を参照して、画像の編集処理を行う（ステップＳ９）。そして、画像編集処理により生成された処理済み画像データおよび画像編集情報から生成したレイアウト情報をミニラボ機３Ａ，３Ｂのいずれかに出力して（ステップＳ１０）、処理を終了する。
【００６０】
ミニラボ機３Ａ，３Ｂは、処理済み画像データおよびレイアウト情報を受信すると処理済み画像データをプリント出力して、処理済み画像データのプリントを生成する。オペレータは（あるいはアルバム加工を専門に行うオペレータ）は、レイアウト情報を参照しつつ、テンプレートに対応する台紙におけるプリント挿入領域にプリントを貼り付け、さらには製本作業等を行ってアルバムを作成する。
【００６１】
作成されたアルバムは、品質管理を行うオペレータにより検査され、検査に合格するとユーザに配送される。なお、検査に不合格であった場合には、工程管理ＰＣ７において、そのアルバム作成の注文について、再度のアルバムの作成の指示がなされる。
【００６２】
このように、本実施形態においては、同一ユーザから同一イベントの画像についての異なるテンプレートを用いたアルバム作成の注文があった場合には、異なるテンプレートの種類を表すテンプレートＩＤ、対応情報Ｃ０および画像特定情報Ｋ０を参照して、先の注文にて使用したテンプレートの画像挿入領域に挿入すべく選択した画像を、後の注文にて使用するテンプレートの対応する画像挿入領域に挿入して編集画面３０に表示するようにしたものである。
【００６３】
このため、オペレータは、再度同一のユーザから同一のイベントについての異なるテンプレートを用いたアルバム作成の注文があった場合には、アルバム作成のための編集作業を最初からやり直す必要がなくなるため、オペレータの負担を軽減して、効率よく再度のアルバム作成を行うことができる。
【００６４】
また、先の注文時のテンプレートの画像挿入領域と、後の注文時のテンプレートの対応する画像挿入領域とでアスペクト比が異なる場合には、画像挿入済みテンプレートにおける対応する画像挿入領域にアラーム表示を行うようにしたため、オペレータに対してアスペクト比が異なる旨を通知することができる。したがって、オペレータは、挿入される画像のトリミングのやり直し等を容易に行うことができる。
【００６５】
なお、上記実施形態においては、対応情報Ｃ０をあらかじめ生成して記録手段２３に記録しているが、オペレータの好みに応じて対応情報Ｃ０を生成してもよい。以下これを第２の実施形態として説明する。
【００６６】
図１１は第２の実施形態における編集画面を示す図である。図１１に示すように第２の実施形態における編集画面３０′のツールボックス３５には、重要度設定ボタンが表示されている。
【００６７】
第２の実施形態においては、上記第１の実施形態と同様に、オペレータがアルバムの編集作業を行う。そして、テンプレートのすべての画像挿入領域に挿入する画像を選択した後、選択した画像を用いて画像挿入領域毎に重要度を設定する。具体的には、オペレータが重要度設定ボタンをクリックし、その後、選択された画像を見ながら画像挿入領域を重要度が高い順にクリックすることにより、アルバム編集ＰＣ１は、画像挿入領域毎に重要度を設定する。ここで、第２の実施形態においては、重要度１を最も重要度が高いものとし、数字が大きくなるほど重要度が低くなるように重要度を定めるものとする。例えば、１ページ目に３つの画像挿入領域１−ａ，１−ｂ，１−ｃ、２ページ目に２つの画像挿入領域２−ａ，２−ｂを有するテンプレートＩＤ００４のテンプレートＴ４を用いてアルバムの編集を行っている場合において、１ページ目の画像挿入領域を１−ｂ，１−ａ，１−ｃの順でクリックした場合、画像挿入領域１−ｂ，１−ａ，１−ｃのそれぞれに対して重要度１，２，３を設定する。
【００６８】
なお、本実施形態においてはテンプレートのページ単位で重要度を設定するものとする。したがって、テンプレートＴ４の２ページ目については、オペレータが画像挿入領域２−ｂ，２−ａの順でクリックした場合、アルバム編集ＰＣ１は、画像挿入領域２−ｂ，２−ａのそれぞれに対して重要度１，２を設定する。
【００６９】
さらに、アルバム編集ＰＣ１はテンプレートの画像挿入領域についての重要度情報を生成する。図１２は重要度情報の例を示す図である。図１２に示すようにテンプレートＩＤ００４のテンプレートＴ４の画像挿入領域１−ａ，１−ｂ，１−ｃ，２−ａ，２−ｂには、上述したようにオペレータがクリックした順序に応じてそれぞれ２，１，３，２，１の重要度が設定されている。
【００７０】
そして、ユーザが先の注文においてテンプレートＩＤ００４のテンプレートＴ４を使用し、後の注文において１ページ目に２つの画像挿入領域１−ａ，１−ｂ、２ページ目に１つの画像挿入領域２−ａを有するテンプレートＩＤ００５のテンプレートＴ５を使用する場合、アルバム編集ＰＣ１は重要度情報を参照してテンプレートＴ４とテンプレートＴ５との対応情報Ｃ０を生成する。
【００７１】
図１３は第２の実施形態における対応情報の例を示す図である。ここで、第２の実施形態においては後の注文に使用するテンプレートについては、各ページの画像挿入領域はアルファベット順に重要度が設定されるものとする（すなわちａが最も重要度が高い）。このため、図１３に示すように、テンプレートＴ４の画像挿入領域１−ｂ，１−ａはテンプレートＴ５の画像挿入領域１−ａ，１−ｂとそれぞれ対応し、テンプレートＴ４の画像挿入領域２−ｂはテンプレートＴ５の画像挿入領域２−ａと対応することとなる。
【００７２】
アルバム編集ＰＣ１は対応情報Ｃ０を参照して、テンプレートＴ４の画像挿入領域１−ｂ，１−ａ，２−ｂにそれぞれ挿入すべく選択された画像を、テンプレートＴ５の画像挿入領域１−ａ，１−ｂ，２−ａに挿入した画像挿入済みテンプレートを生成して編集画面に表示する。
【００７３】
以降、オペレータは上記第１の実施形態と同様にアルバムの編集を行うことができる。
【００７４】
なお、上記第２の実施形態においては、後の注文の編集作業を行う際に対応情報Ｃ０を生成しているが、あらかじめアルバム編集ＰＣ１がすべてのテンプレートについての重要度に応じた対応情報Ｃ０を生成しておくようにしてもよい。
【００７５】
また、上記第２の実施形態においては、テンプレートの画像挿入領域に挿入すべく選択された画像を用いて画像挿入領域に対して重要度を設定しているが、画像を用いることなく、あらかじめテンプレートの画像挿入領域に直接重要度を設定しておいてもよい。具体的には、オペレータがアルバム編集ＰＣ１においてテンプレートのみを表示し、図１１に示す編集画面３０′の重要度設定ボタンをクリックした後に、画像挿入領域を重要度の順にクリックすることにより、各画像挿入領域に重要度を設定する。そして、アルバムの作成に使用するすべてのテンプレートについて重要度を設定し、対応情報Ｃ０を生成すればよい。
【００７６】
例えば、上記テンプレートＴ４について、オペレータが１ページ目の画像挿入領域を１−ｂ，１−ａ，１−ｃの順でクリックした場合、アルバム編集ＰＣ１は画像挿入領域１−ｂ，１−ａ，１−ｃのそれぞれに対して重要度１，２，３を設定する。また、２ページ目については、オペレータが画像挿入領域を２−ｂ，２−ａの順でクリックした場合、画像挿入領域２−ｂ，２−ａのそれぞれに対して重要度１，２を設定する。一方、テンプレートＴ５については、オペレータが１ページ目の画像挿入領域を１−ａ，１−ｂの順でクリックした場合、アルバム編集ＰＣ１は画像挿入領域１−ａ，１−ｂのそれぞれに対して重要度１，２を設定する。また、２ページ目については、画像挿入領域が１つしかないため画像挿入領域２−ａに対して重要度１を設定する。この場合、アルバム編集ＰＣ１は、上記図１３に示すものと同様の対応情報Ｃ０を生成する。
【００７７】
したがって、先の注文においてテンプレートＴ４を使用し、後の注文においてテンプレートＴ５を使用する場合、アルバム編集ＰＣ１は、上記第２の実施形態と同様に対応情報Ｃ０を参照して、テンプレートＴ４の画像挿入領域に挿入すべく選択された画像を、テンプレートＴ５の画像挿入領域に挿入して画像挿入済みテンプレートを生成し、これを後の注文における編集画面に表示する。
【００７８】
次いで、本発明の第３の実施形態について説明する。上述したようにテンプレートの画像挿入領域に画像を挿入してアルバムを作成する場合、オペレータは、画像挿入領域には試行錯誤の上、何種類かの画像を挿入してみてアルバムの出来具合を確認しながら作業を進めるものである。第３の実施形態においては、アルバム編集時に画像挿入領域に挿入すべき画像の候補となり、画像挿入領域に挿入してみたもののアルバムの作成には使用しなかった画像（トライ画像とする）のファイル名を、挿入すべく選択した画像のファイル名とともに履歴情報として記録手段２３に保存しておき、後の注文において履歴ファイルを参照して、画像挿入済みテンプレートの編集画面にトライ画像を表示するようにするものである。
【００７９】
具体的には、先の注文において２つの画像挿入領域１−ａ，１−ｂを有するテンプレートＩＤ００６のテンプレートＴ６を使用し、アルバム編集時にオペレータが画像挿入領域１−ａにファイル名がDSCF0001.jpg、DSCF0007.jpgの画像を挿入してみた後、最終的にファイル名がDSCF0001.jpgの画像を選択したとする。また、画像挿入領域１−ｂには、ファイル名がDSCF0011.jpg、DSCF0028.jpgの画像を挿入してみた後、最終的にファイル名がDSCF0011.jpgの画像を選択したとする。
【００８０】
この場合、アルバム編集ＰＣ１は、画像挿入領域毎に、オペレータが挿入すべく選択した画像およびトライ画像を対応づけた履歴情報を生成する。図１４は第３の実施形態において生成される履歴情報の例を示す図である。図１４に示すように、履歴情報には、テンプレートの画像挿入領域、挿入すべく選択された画像（挿入画像）のファイル名およびトライ画像のファイル名が対応づけられている。ここで、後の注文において３つの画像挿入領域１−ａ，１−ｂ，１−ｃ，２−ａを有するテンプレートＩＤ００７のテンプレートＴ７を用いてのアルバムの編集を行う場合、アルバム編集ＰＣ１は、上記第１または第２の実施形態における対応情報Ｃ０を参照して画像挿入済みテンプレートを生成して編集画面に表示するが、さらに履歴情報を参照して、トライ画像のサムネイル画像を生成して編集画面に表示する。
【００８１】
図１５は第３の実施形態における編集画面の例を示す図である。図１５に示す編集画面３０″においては、画像挿入領域１−ａ，１−ｂにはファイル名がDSCF0001.jpg、DSCF0011.jpgの画像データにより表される画像がそれぞれ挿入されており、画像挿入領域１−ｃ，２−ａには案内画像が挿入されている。また、ツールボックス３５には、トライ画像のサムネイル画像を表示するサムネイル表示フィールド３７が表示されている。そしてオペレータは、画像挿入領域をクリックしてサムネイル表示フィールド３７のトライ画像をクリックすることにより、クリックした画像挿入領域にトライ画像を挿入することができる。
【００８２】
このように第３の実施形態においては、後の注文の際に編集画面にトライ画像を表示するようにしたため、とくに後の注文の方がテンプレートの画像挿入領域が多い場合に、後の注文におけるテンプレートの案内画像が挿入されている画像挿入領域にトライ画像を挿入することができる。したがって、先の注文に使用された画像を参照することができ、これにより、アルバムの作成を容易に行うことができる。
【００８３】
なお、第３の実施形態において第２の実施形態のように画像毎または画像挿入領域毎に重要度を設定した場合、所定のしきい値以上となる高い重要度の画像を挿入した画像挿入領域のトライ画像のみをサムネイル表示フィールド３７に表示するようにしてもよい。また、上記第３の実施形態のように、後の注文の方がテンプレートの画像挿入領域が多い場合には、案内画像に代えて重要度が高い画像挿入領域のトライ画像を、後の注文におけるテンプレートの画像挿入領域に挿入して画像挿入済みテンプレートを生成し、これを編集画面に表示してもよい。
【００８４】
なお、上記実施形態においては、オペレータが選択した画像を表す画像データの処理済み画像データをミニラボ機３Ａ，３Ｂにおいてプリント出力して、テンプレートに対応する台紙にプリントを貼り付けることによりアルバムを作成しているが、ファイルサーバ５において、処理済み画像データとテンプレートデータとを合成して、テンプレートの画像挿入領域にオペレータが選択した画像が挿入された画像（すなわちアルバム画像）を表す合成画像データを生成し、合成画像データをミニラボ機３Ａ，３Ｂに出力するようにしてもよい。
【００８５】
これにより、ミニラボ機３Ａ，３Ｂにおいて合成画像データをプリント出力すれば、アルバム画像のプリントを製本するのみで、プリントを台紙に貼り付ける作業を行うことなく、アルバムを作成することができる。
【００８６】
また、上記実施形態においては、フイルムに記録した画像を読み取ることにより得た画像データを用いてアルバムを作成しているが、デジタルカメラにより取得した画像データをそのまま用いてアルバムを作成することも可能である。この場合、ファイルサーバ５には、メモリカード等の撮影により取得した画像データを記録したメディアから画像データを読み出すメディアドライブが設けられ、メディアドライブを用いてメディアから読み出した画像データがファイルサーバ５に保管される。
【００８７】
また、上記実施形態においては、アルバム編集ＰＣ１においてアルバムに使用する画像を選択した後に、ファイルサーバ５において選択した画像を表す画像データに対してのみセットアップ処理を施しているが、ファイルサーバ５にミニラボ３Ａ，３Ｂあるいはスキャナ３Ｃから画像データが送信された際に、すべての画像データに対してセットアップ処理を施してファイルサーバ５に保管するようにしてもよい。また、アルバム編集ＰＣ１において、ファイルサーバ５から送信されたすべての画像データあるいはアルバムに使用するために選択した画像データに対してセットアップ処理を施すようにしてもよい。
【００８８】
また、上記実施形態において、アルバム編集ＰＣ１またはファイルサーバ５が、レイアウト情報に基づいて、テンプレートにユーザの画像を挿入した状態のデータ（アルバムデータ）を生成し、これをユーザがアクセス可能なサーバ等に送信して保管しておくようにしてもよい。これにより、ユーザはアルバムの出来具合をアルバム作成の前に確認することができる。なお、この場合、そのアルバムデータを用いてアルバムを作成するか、編集をやり直すかをユーザに選択させるようにしてもよい。
【図面の簡単な説明】
【００８９】
【図１】本発明の実施形態による画像編集装置を備えた画像編集システムの構成を示す概略ブロック図
【図２】アルバム編集ＰＣの構成を示す概略ブロック図
【図３】第１の実施形態における編集画面の例を示す図
【図４】案内画像情報の例を示す図
【図５】画像特定情報の例を示す図
【図６】第１の実施形態における対応情報の例を示す図
【図７】テンプレートＴ１とテンプレートＴ２との画像挿入領域の対応関係を示す図
【図８】同一の構図であるがトリミング時のアスペクト比が異なることを説明するための図
【図９】レイアウト情報の例を示す図
【図１０】本実施形態において行われる処理を示すフローチャート
【図１１】第２の実施形態における編集画面の例を示す図
【図１２】重要度情報の例を示す図
【図１３】第２の実施形態における対応情報の例を示す図
【図１４】第３の実施形態において生成される履歴情報の例を示す図
【図１５】第３の実施形態における編集画面の例を示す図
【符号の説明】
【００９０】
１    アルバム編集ＰＣ
３Ａ，３Ｂ    ミニラボ機
３Ｃ    スキャナ
５    ファイルサーバ
７    工程管理ＰＣ
１１    ＣＰＵ
１３    送受信手段
１５    表示手段
１７    入力手段
１９    Ｉ／Ｏ
２１    メモリ
２３    記録手段
２５    バス
３０，３０′，３０″    編集画面
３１    一覧表示フィールド
３３    テンプレート表示フィールド
３５    ツールボックス
【図１】
2005182771.tif 000003
【図２】
2005182771.tif 000004
【図３】
2005182771.tif 000005
【図４】
2005182771.tif 000006
【図５】
2005182771.tif 000007
【図６】
2005182771.tif 000008
【図７】
2005182771.tif 000009
【図８】
2005182771.tif 000010
【図９】
2005182771.tif 000011
【図１０】
2005182771.tif 000012
【図１１】
2005182771.tif 000013
【図１２】
2005182771.tif 000014
【図１３】
2005182771.tif 000015
【図１４】
2005182771.tif 000016
【図１５】
2005182771.tif 000017